(57)【要約】【課題】  ベルト引張式運動器具を提供する。【解決手段】  ベルト引張式運動装置は、第１ラダーロックが載置された調整ベルトと、２個の連結ベルトと、２個の弾性ロープアセンブリと、対応する連結ベルトおよび対応する弾性ロープアセンブリに配置される２個のハンドグリップとを含む。調整ベルトの一端は第１リングに通される。２個の連結ベルトの２つの第１端部は第１リングに同時に固定され、各連結ベルトの第１端部と反対側の第２端部はそれぞれ第３リングに固定され、２個の第２リングがそれぞれ、各連結ベルトの第１端部と第２端部の間の上面に固定される。各弾性ロープアセンブリは各連結ベルトに対応して配置される。各弾性ロープアセンブリの２つの端部はそれぞれ、対応する連結ベルトの第２リングおよび第３リングと連結される。【選択図】  図１
2015202407.tif 000002
【特許請求の範囲】
【請求項１】
ベルト引張式運動器具であって、
第１ラダーロックが載置される調整ベルトと、前記調整ベルトの一端は第１リングを通され、
２個の連結ベルトと、前記２個の連結ベルトの２つの第１端部は前記第１リングに同時に固定され、各連結ベルトの第１端部と反対側の第２端部はそれぞれ第３リングに固定され、２個の第２リングがそれぞれ、各連結ベルトの第１端部と第２端部の間の上面に固定され、
２個の弾性ロープアセンブリと、各弾性ロープアセンブリは各連結ベルトに対応して配置され、各弾性ロープアセンブリの２つの端部はそれぞれ、対応する各連結ベルトの第２リングおよび第３リングと連結され、
２個のハンドグリップとを含み、各ハンドグリップは対応する連結ベルトおよび対応する弾性ロープアセンブリに配置され、
各ハンドグリップは、固定状態において、対応する前記連結ベルトの第１リングと反対側の第２端部に連結され、各ハンドグリップは、弾性状態において、対応する前記弾性ロープアセンブリの第２リングと反対側の一端に着脱可能に連結され、各連結ベルトの第２端部は折り返されてから前記第１リングに連結される
ベルト引張式運動器具。
【請求項２】
前記調整ベルトの一端は第２ラダーロックに固定され、前記調整ベルトの他端は第１リングに通されてから折り返され、第１ラダーロックに通され固定される、請求項１に記載のベルト引張式運動器具。
【請求項３】
前記調整ベルトの一端はバックルに固定され、前記調整ベルトの他端は前記第１リングおよび前記第１ラダーロックに通されてから、前記バックルに着脱可能に固定される、請求項１に記載のベルト引張式運動器具。
【請求項４】
前記調整ベルトは扉と壁の間を通され、前記第１リングまたは第２リングは壁および扉と同じ側に配置され、前記第１リングまたは第２リングの上部は、前記調整ベルトを介して壁に接しており、前記第１リングまたは第２リングを用いて、調整ベルトと扉の間の距離が調整される、請求項２に記載のベルト引張式運動器具。
【請求項５】
前記調整ベルトは扉と壁の間を通され、前記第１ラダーロックは壁および扉と同じ側に配置され、前記第１ラダーロックの上部は、前記調整ベルトを介して壁に接しており、或いは、調整ベルトは横棒に巻回され締め付けられてから、前記バックルによって固定される、請求項３に記載のベルト引張式運動器具。
【請求項６】
前記第３リング各々は着脱可能な連結のための第１留め具に連結され、各連結ベルトは対応する第１留め具を介して、対応するハンドグリップと着脱可能に連結される、請求項１に記載のベルト引張式運動器具。
【請求項７】
前記第３リング各々は着脱可能な連結のための第１留め具に連結され、各連結ベルトは対応する第１留め具を介して、対応するハンドグリップと着脱可能に連結される、請求項２に記載のベルト引張式運動器具。
【請求項８】
前記弾性ロープアセンブリは各々、少なくとも２個の弾性ロープを含む、請求項１に記載のベルト引張式運動器具。
【請求項９】
前記弾性ロープアセンブリは各々、少なくとも２個の弾性ロープを含む、請求項２に記載のベルト引張式運動器具。
【請求項１０】
前記弾性ロープは各々弾性体と、第２留め具と、第３留め具を有し、第２留め具および第３留め具はそれぞれ、弾性体の２つの端部に載置され、第２留め具は対応する前記第２リングに着脱可能に連結され、第３留め具は対応する前記ハンドグリップに着脱可能に連結される、請求項８に記載のベルト引張式運動器具。
【請求項１１】
前記弾性ロープは各々弾性体と、第２留め具と、第３留め具を有し、第２留め具および第３留め具はそれぞれ、弾性体の２つの端部に載置され、第２留め具は対応する前記第２リングに着脱可能に連結され、第３留め具は対応する前記ハンドグリップに着脱可能に連結される、請求項９に記載のベルト引張式運動器具。
【発明の詳細な説明】
【技術分野】
【０００１】
本発明は、運動器具に関し、特に、ベルト引張式運動器具に関する。
【背景技術】
【０００２】
抵抗運動器具は、使用者の腕、脚、または胴の動きに抵抗を与えることにより、使用者に運動を行わせるものである。通常、抵抗は１つの筋肉を他の筋肉または重力に抗して働かせることによりもたらされ、抵抗力を増大させるための弾性バンドを含むことが可能である。このような器具では、使用者が様々な種類の運動を容易に行なうことができるか、器具を使って行われる運動の範囲や数、または様々な使用者が身長、体重、体力、および身体的制約の少なくともいずれかに応じて器具を容易に調節できるかによって、実用性が部分的に左右される。
【０００３】
弾性バンドを有する抵抗運動器具は一般的に、使用者の腕および脚の少なくともいずれかの動きを制限し、或いは使用者と支持構造体の間の動きを制限する。弾性運動器具は小型であり、また携行可能であってもよいが、弾性バンドの長さや弾性に依存する抵抗特性によって、実用性は制限される。このような特性により、弾性バンドは特定の長さ範囲で有用であることから、利用可能な運動の多様性が制限される。また、使用者によって身長、体重、または体力は異なるので、様々な使用者が同じ器具を使って同じ運動を行なうことは不可能である。従って、一般的に有用な弾性器具では、完全な運動を提供し、或いは様々な使用者が可能であるように、取替えが容易な複数の弾性バンドが必要となる。従来技術の器具は、多様な運動に対して概ね有用であるために必要な使い勝手のよさを提供するものではない。
【０００４】
弾性抵抗式運動器具の別の制約としては、抵抗が一貫しておらず、移動が大きくなるに伴い抵抗は増大し、また、使用者が力を弱めると急に元に戻り易いことである。この抵抗反応により構成を小型にすることができるが、ランニング、水泳等のより自然な運動で筋肉に生じる抵抗を再現できないことが問題である。弾性式器具の更に別の制約としては、幅広い範囲の使用者の体重を支持することができないことである。一般的には、器具は使用者の筋肉によってもたらされる抵抗のみを支持するように適応されている。これによって、個々の弾性式器具で行うことができる運動は極度に制限される。このため、弾性式器具は限られた範囲の姿勢で使用されなければならず、使用者の運動は更に制限されてしまう。
【０００５】
別のタイプの抵抗式運動器具では、例えば扉等の固定位置に取付けが可能な非弾性紐を備える。このような器具によれば、非弾性紐を扉と側柱の間に固定することにより、先に記載したような弾性式器具の制約をある程度は克服することができる。この器具の一種では、プーリシステムを介して扉に取り付けられる固定長紐を有し、プーリシステムがアームを反対方向に移動させることにより、使用者に運動を行わせる。このような器具の別のものでは、扉に固定される一対の固定長紐を有する。いずれの器具でも、その固定長や利用可能な運動範囲によって、実用性が限られる。
【０００６】
最近の引張式運動器具としては、特許文献１〜３がある。
【先行技術文献】
【特許文献】
【０００７】
【特許文献１】台湾特許TWM４６８３３４号
【特許文献２】台湾特許TWM４３３２１３号
【特許文献３】台湾特許TWM４３０２９３号
【０００８】
しかし、上述の運動器具は、一つの物体に結付けられるが、解けやすく、意図せずに解けると利用者に危険なことがある。引張力の伸縮性を調節したり変更したりすることができない。また、ベルトやバンドの長さを、使用者の身長や、使用者と固定点の距離に基づいて調整することができない。
【発明の概要】
【発明が解決しようとする課題】
【０００９】
本発明の目的は、ベルト引張式運動器具を提供することにある。かかるベルト引張式運動器具は、引張力の伸縮性の調節や変更が容易であり、また、壁と扉の間への固定が容易であり、調整ベルトの長さ調節が容易であり、第１リングまたは第２リングを使用することにより、調整ベルトと扉または壁の力点距離の調節が容易である。また、運動を行なうために横棒に固定されてもよい。従って、操作が簡単であり、構造が単純であり、また持ち運び易い。
【課題を解決するための手段】
【００１０】
上記の目的を達成するために、ベルト引張式運動器具を提供する。ベルト引張式運動器具は、第１ラダーロックが載置された調整ベルトと、２個の連結ベルトと、２個の弾性ロープアセンブリと、２個のハンドグリップとを含む。調整ベルトの一端は第１リングに通される。２個の連結ベルトの２つの第１端部は第１リングに同時に固定され、各連結ベルトの第１端部と反対側の第２端部はそれぞれ第３リングに固定され、２個の第２リングがそれぞれ、各連結ベルトの第１端部と第２端部の間の上面に固定される。各弾性ロープアセンブリは各連結ベルトに対応して配置される。各弾性ロープアセンブリの２つの端部はそれぞれ、対応する連結ベルトの第２リングおよび第３リングと連結される。各ハンドグリップは対応する連結ベルトおよび対応する弾性ロープアセンブリに配置される。
【００１１】
各ハンドグリップは、固定状態において、対応する連結ベルトの第１リングと反対側の第２端部に連結される。各ハンドグリップは、弾性状態において、対応する弾性ロープアセンブリの第２リングと反対側の一端に着脱可能に連結され、各連結ベルトの第２端部は折り返して第１リングに連結される。
【００１２】
ある実施形態において、調整ベルトの一端は第２ラダーロックに固定され、調整ベルトの他端は第１リングに通されてから折り返し、第１ラダーロックに通されて固定される。
【００１３】
ある実施形態において、調整ベルトの一端はバックルに固定され、調整ベルトの他端は第１リングおよび第１ラダーロックに通されてから、バックルに着脱可能に固定される。
【００１４】
ある実施形態において、調整ベルトは扉と壁の間を通され、第１リングまたは第２リングは壁および扉と同じ側に配置され、第１リングまたは第２リングの上部は、調整ベルトを介して壁に接しており、第１リングまたは第２リングを用いて、調整ベルトと扉の間の距離が調整される。
【００１５】
ある実施形態において、調整ベルトは扉と壁の間を通され、第１ラダーロックは壁および扉と同じ側に配置され、第１ラダーロックの上部は、調整ベルトを介して壁に接しており、或いは、調整ベルトが横棒に巻回され締め付けられてから、バックルにより固定される。
【００１６】
ある実施形態において、各第３リングは着脱可能な連結のための第１留め具に連結され、各連結ベルトは対応する第１留め具を介して、対応するハンドグリップと着脱可能に連結される。
【００１７】
ある実施形態において、各弾性ロープアセンブリは少なくとも２個の弾性ロープを含む。
【００１８】
ある実施形態において、各弾性ロープは弾性体と、第２留め具と、第３留め具を有し、第２留め具および第３留め具はそれぞれ、弾性体の２つの端部に載置され、第２留め具は対応する第２リングに着脱可能に連結され、第３留め具は対応するハンドグリップに着脱可能に連結される。
【００１９】
本発明の更なる構成および効果については、当該技術分野に属する者であれば、添付の図面および請求の範囲と併せて後述する好適な実施形態の詳細な説明を考慮すれば、理解できる。
【００２０】
本発明の全ての課題、効果、および新規の構成については、添付の図面と併せて以下の詳細な説明から理解できる。
【図面の簡単な説明】
【００２１】
【図１】本発明に係るベルト引張式運動器具の分解図。
【図２】本発明に係るベルト引張式運動器具の外側図。
【図３】本発明に係るベルト引張式運動器具であって、調整ベルトが第２ラダーロックを用いて扉と壁の間を通された状態を示す図。
【図４】本発明に係るベルト引張式運動器具であって、調整ベルトが第１ラダーロックを用いて扉と壁の間を通された状態を示す図。
【図５】本発明に係るベルト引張式運動器具の固定状態を示す部分図。
【図６】本発明に係るベルト引張式運動器具の弾性状態を示す部分図。
【図７】本発明に係るベルト引張式運動器具であって、引張力の伸縮性を変更するために、弾性ロープアセンブリの弾性ロープ数を調節する状態を示す作動図。
【図８】本発明に係るベルト引張式運動器具であって、固定状態において、第１ラダーロックにより扉と壁の間に固定されている状態を示す作動図。
【図９】本発明に係るベルト引張式運動器具であって、固定状態において、第２ラダーロックにより扉と壁の間に固定されている状態を示す部分図。
【図１０】本発明に係るベルト引張式運動器具であって、弾性状態において、第１ラダーロックにより扉と壁の間に固定されている状態を示す作動図。
【図１１】本発明に係るベルト引張式運動器具であって、弾性状態において、第１ラダーロックにより扉と壁の間に固定されている状態を示す作動図。
【図１２】本発明に係るベルト引張式運動器具であって、弾性状態において、第１ラダーロックにより扉と壁の間に固定されている状態を示す作動図。
【図１３】本発明に係るベルト引張式運動器具の別の実施形態の分解図。
【図１４】本発明に係るベルト引張式運動器具の別の実施形態の外側図。
【発明を実施するための形態】
【００２２】
以下、図面について、同じ特徴および構成には、個々の図中で同じ符号が付されている。
【００２３】
図１は、本発明に係るベルト引張式運動器具の分解図である。図２は、本発明に係るベルト引張式運動器具の外側図である。図３は、本発明に係るベルト引張式運動器具であって、調整ベルトが第２ラダーロックを用いて扉と壁の間を通された状態を示す図である。図４は、本発明に係るベルト引張式運動器具であって、調整ベルトが第１ラダーロックを用いて扉と壁の間を通された状態を示す図である。図５は、本発明に係るベルト引張式運動器具の固定状態を示す部分図である。図６は、本発明に係るベルト引張式運動器具の弾性状態を示す部分図である。図７は、本発明に係るベルト引張式運動器具であって、引張力の伸縮性を変更するために、弾性ロープアセンブリの弾性ロープ数を調節する状態を示す作動図である。図８は、本発明に係るベルト引張式運動器具であって、固定状態において、第１ラダーロックにより扉と壁の間に固定されている状態を示す作動図である。図９は、本発明に係るベルト引張式運動器具であって、固定状態において、第２ラダーロックにより扉と壁の間に固定されている状態を示す部分図である。図１０は、本発明に係るベルト引張式運動器具であって、弾性状態において、第１ラダーロックにより扉と壁の間に固定されている状態を示す作動図である。図１１および図１２は、本発明に係るベルト引張式運動器具であって、弾性状態において、第１ラダーロックにより扉と壁の間に固定されている状態を示す作動図である。
【００２４】
図１〜図１２を参照すると、本発明のベルト引張式運動器具１００は、調整ベルト１と、２個の連結ベルト２と、２個の弾性ロープアセンブリ３と、２個のハンドグリップ４を含む。
【００２５】
調整ベルト１には第１ラダーロック１２が載置されており、調整ベルトの一端は第１リング２１を通される。即ち、調整ベルト１の一端は第２ラダーロック１１に固定されており、また、調整ベルト１の他端は第１リング２１を通されてから折り返され、第１ラダーロック１２を通され固定される。
【００２６】
２個の連結ベルト２の２つの第１端部は同時に第１リング２１に固定され、各連結ベルト２の第１端部と反対側の２つの第２端部は、各々第３リング２３に固定され、また、２個の第２リング２２がそれぞれの連結ベルト２の第１端部と第２端部の間の上面に固定される。
【００２７】
さらに、調整ベルト１は扉２００と壁３００の間を通される。第１リング２１または第２リング２２は壁３００および扉２００と同じ側に配置される。第１リング２１または第２リング２２の上側部分は、調整ベルト１の長さを調整するために、調整ベルト１を介して壁３００に接触しており、また、ベルト１と扉２００または壁３００の間の力点間距離は、第１リング２１または第２リング２２を用いて調整される（図９および図１０に図示）。
【００２８】
各第３リング２３は着脱可能な連結のための第１留め具２４に連結され、各連結ベルト２は対応する第１留め具２４を介して、対応するハンドグリップ４と着脱可能に連結される。
【００２９】
各弾性ロープアセンブリ３は、各連結ベルト２に対応して配置される。弾性ロープアセンブリ３の２つの端部はそれぞれ、対応する連結ベルト２の第２リング２２および第３リング２３に連結される。各弾性ロープアセンブリ３は、少なくとも２個の弾性ロープ３０を含む。本発明では３個の弾性ロープが図示されているが、それに限定されるものではない。
【００３０】
各弾性ロープ３０は弾性体３１と、第２留め具３２と、第３留め具３３を有する。第２留め具３２および第３留め具３３はそれぞれ、弾性体３１の２つの端部に載置される。第２留め具３２は対応する第２リング２２に着脱可能に連結され、第３留め具３３は対応するハンドグリップ４に着脱可能に連結される。
【００３１】
使用者が引張力の伸縮性を変更したい場合には、１または２個の弾性ロープ３０の第３留め具３３を対応するハンドグリップ４から取り外し、次に連結ベルト２の対応する第２リング２２に連結させることにより、引張力の大きさを変更し、更に、（図１０〜図１２に示すような）様々なストレッチ運動に適応させることができるという効果が得られる。
【００３２】
各ハンドグリップ４は対応する連結ベルト２および対応する弾性ロープアセンブリ３にそれぞれ配置される。
【００３３】
従って、固定状態では、各ハンドグリップ４の一端は対応する連結ベルト２の第１リング２１と反対側の端部に連結される。弾性状態では、各ハンドグリップ４の一端が対応する弾性ロープアセンブリ３の第２リング２２と反対側の端部に着脱可能に連結されるとともに、連結ベルト２の第１リング２１と反対側の端部は巻き上げられて、第１リング２１に固定される。
【００３４】
即ち、各ハンドグリップ４は固定状態において、対応する連結ベルト２の第１リング２１と反対側の第２端部に連結される。各ハンドグリップ４は弾性状態において、対応する弾性ロープアセンブリ３の第２リング２２と反対側の一端に着脱可能に連結されるとともに、連結ベルト２の他端部は折り返されてから第１リング２１と連結される。
【００３５】
図１３は、本発明に係るベルト引張式運動器具の別の一実施形態を示す分解図である。図１４は、本発明に係るベルト引張式運動器具の別の実施形態を示す外側図である。
【００３６】
図１３および図１４を参照すると、調整ベルト１の一端はバックル１１’に固定され、調整ベルト１の他端は第１リング２１および第１ラダーロック１２を通されてから、バックル１１’に着脱可能に固定される。
【００３７】
調整ベルト１は、扉２００と壁３００の間を通される。第１ラダーロック１１は壁３００および扉２００と同じ側に配置される。第１ラダーロック１２の上側部分は調整ベルト１を介して壁と接しており、或いは、調整ベルト１は横棒４００に巻回され締め付けられてから、バックル１１’によって固定される。
【図１】
2015202407.tif 000003
【図２】
2015202407.tif 000004
【図３】
2015202407.tif 000005
【図４】
2015202407.tif 000006
【図５】
2015202407.tif 000007
【図６】
2015202407.tif 000008
【図７】
2015202407.tif 000009
【図８】
2015202407.tif 000010
【図９】
2015202407.tif 000011
【図１０】
2015202407.tif 000012
【図１１】
2015202407.tif 000013
【図１２】
2015202407.tif 000014
【図１３】
2015202407.tif 000015
【図１４】
2015202407.tif 000016
【手続補正書】
【提出日】平成27年6月26日(2015.6.26)
【手続補正１】
【補正対象書類名】明細書
【補正対象項目名】０００９
【補正方法】変更
【補正の内容】
【０００９】
本発明の目的は、ベルト引張式運動器具を提供することにある。かかるベルト引張式運動器具は、引張力の伸縮性の調節や変更が容易であり、また、壁と扉の間への固定が容易であり、調整ベルトの長さ調節が容易であり、第１ラダーロックまたは第２ラダーロックを使用することにより、調整ベルトと扉または壁の力点距離の調節が容易である。また、運動を行なうために横棒に固定されてもよい。従って、操作が簡単であり、構造が単純であり、また持ち運び易い。
【手続補正２】
【補正対象書類名】明細書
【補正対象項目名】００１４
【補正方法】変更
【補正の内容】
【００１４】
ある実施形態において、調整ベルトは扉と壁の間を通され、第１ラダーロックまたは第２ラダーロックは壁および扉と同じ側に配置され、第１ラダーロックまたは第２ラダーロックの上部は、調整ベルトを介して壁に接しており、第１ラダーロックまたは第２ラダーロックを用いて、調整ベルトと扉の間の距離が調整される。
【手続補正３】
【補正対象書類名】明細書
【補正対象項目名】００２１
【補正方法】変更
【補正の内容】
【００２１】
【図１】本発明に係るベルト引張式運動器具の分解図。
【図２】本発明に係るベルト引張式運動器具の外側図。
【図３】本発明に係るベルト引張式運動器具であって、調整ベルトが第２ラダーロックを用いて扉と壁の間を通された状態を示す図。
【図４】本発明に係るベルト引張式運動器具であって、調整ベルトが第１ラダーロックを用いて扉と壁の間を通された状態を示す図。
【図５】本発明に係るベルト引張式運動器具の固定状態を示す部分図。
【図６】本発明に係るベルト引張式運動器具の弾性状態を示す部分図。
【図７】本発明に係るベルト引張式運動器具であって、引張力の伸縮性を変更するために、弾性ロープアセンブリの弾性ロープ数を調節する状態を示す作動図。
【図８】本発明に係るベルト引張式運動器具であって、固定状態において、第２ラダーロックにより扉と壁の間に固定されている状態を示す作動図。
【図９】本発明に係るベルト引張式運動器具であって、固定状態において、第１ラダーロックにより扉と壁の間に固定されている状態を示す部分図。
【図１０】本発明に係るベルト引張式運動器具であって、弾性状態において、第２ラダーロックにより扉と壁の間に固定されている状態を示す作動図。
【図１１】本発明に係るベルト引張式運動器具であって、弾性状態において、第２ラダーロックにより扉と壁の間に固定されている状態を示す作動図。
【図１２】本発明に係るベルト引張式運動器具であって、弾性状態において、第２ラダーロックにより扉と壁の間に固定されている状態を示す作動図。
【図１３】本発明に係るベルト引張式運動器具の別の実施形態の分解図。
【図１４】本発明に係るベルト引張式運動器具の別の実施形態の外側図。
【手続補正４】
【補正対象書類名】明細書
【補正対象項目名】００２３
【補正方法】変更
【補正の内容】
【００２３】
図１は、本発明に係るベルト引張式運動器具の分解図である。図２は、本発明に係るベルト引張式運動器具の外側図である。図３は、本発明に係るベルト引張式運動器具であって、調整ベルトが第２ラダーロックを用いて扉と壁の間を通された状態を示す図である。図４は、本発明に係るベルト引張式運動器具であって、調整ベルトが第１ラダーロックを用いて扉と壁の間を通された状態を示す図である。図５は、本発明に係るベルト引張式運動器具の固定状態を示す部分図である。図６は、本発明に係るベルト引張式運動器具の弾性状態を示す部分図である。図７は、本発明に係るベルト引張式運動器具であって、引張力の伸縮性を変更するために、弾性ロープアセンブリの弾性ロープ数を調節する状態を示す作動図である。図８は、本発明に係るベルト引張式運動器具であって、固定状態において、第２ラダーロックにより扉と壁の間に固定されている状態を示す作動図である。図９は、本発明に係るベルト引張式運動器具であって、固定状態において、第１ラダーロックにより扉と壁の間に固定されている状態を示す部分図である。図１０は、本発明に係るベルト引張式運動器具であって、弾性状態において、第２ラダーロックにより扉と壁の間に固定されている状態を示す作動図である。図１１および図１２は、本発明に係るベルト引張式運動器具であって、弾性状態において、第２ラダーロックにより扉と壁の間に固定されている状態を示す作動図である。
【手続補正５】
【補正対象書類名】明細書
【補正対象項目名】００２７
【補正方法】変更
【補正の内容】
【００２７】
さらに、調整ベルト１は扉２００と壁３００の間を通される。第１ラダーロック１２または第２ラダーロック１１は壁３００および扉２００と同じ側に配置される。第１ラダーロック１２または第２ラダーロック１１の上側部分は、調整ベルト１の長さを調整するために、調整ベルト１を介して壁３００に接触しており、また、ベルト１と扉２００または壁３００の間の力点間距離は、第１ラダーロック１２または第２ラダーロック１１を用いて調整される（図９および図１０に図示）。
【手続補正６】
【補正対象書類名】明細書
【補正対象項目名】００３７
【補正方法】変更
【補正の内容】
【００３７】
調整ベルト１は、扉２００と壁３００の間を通される。第１ラダーロック１２は壁３００および扉２００と同じ側に配置される。第１ラダーロック１２の上側部分は調整ベルト１を介して壁と接しており、或いは、調整ベルト１は横棒４００に巻回され締め付けられてから、バックル１１’によって固定される。
【手続補正７】
【補正対象書類名】特許請求の範囲
【補正対象項目名】請求項４
【補正方法】変更
【補正の内容】
【請求項４】
前記調整ベルトは扉と壁の間を通され、前記第１ラダーロックまたは第２ラダーロックは壁および扉と同じ側に配置され、第１ラダーロックまたは第２ラダーロックの上部は、前記調整ベルトを介して壁に接しており、前記第１ラダーロックまたは第２ラダーロックを用いて、調整ベルトと扉の間の距離が調整される、請求項２に記載のベルト引張式運動器具。
【外国語明細書】
2015202407000001.pdf